(57)【要約】      （修正有）【課題】従来の簡単な工作技術で、低コストで製造でき、今までのボルト・ナットの規格がそのまま活用でき、強い振動にも緩まないボルト、ナットを実現する。【解決手段】ボルト１にはボルト９を締めるナット部分３を備えている。締め付ける回転方向は、ナット５とボルト９は常に反対方向に回転するようにネジ山を刻んでいる。弾性体７はナット５とボルト９の回転運動を伝えるように間に挟み込んである。工作物４をボルト１とナット５で締め付けた後、振動等でナット５が緩もうと回転した場合、その動きは、弾性体７に伝えられ、ボルト９を同じ方向に回転させようとすると、ボルト９は、緩むのではなく、弾性体７とナット５を締め付けることになる。結果として、ナット５は緩むための回転ができない。反対回りで打ち消し合う構造を利用し緩まないボルトとナットを実現する。【選択図】図１
0003137118.tif 000002
【実用新案登録請求の範囲】
【請求項１】
ボルト１の外形部分を右回り（又は左回り）のネジ山２の部分をつけ、同じボルトの内側の内径部分に外形部分のネジ山２とは違う反対回りのネジ山のナット部分３を付けたボルト。［図２］参照
【請求項２】
摩擦抵抗を大きくするために凹凸を両面につけたナット。（図３）参照
【請求項３】
摩擦抵抗を大きくするために凹凸を両面につけた弾性体。（図４）参照
【請求項４】
摩擦抵抗を大きくするために凹凸をボルト９の頭部の内面につけたボルト。（図５）参照
【請求項５】
ボルト９の頭部の内側部分に直接、弾性体５をつけた構造のボルト。（図６）参照
【考案の詳細な説明】
【技術分野】
【０００１】本考案は、ボルトに締め付けたナットが緩む時は、ナットは回転して緩みます。そのナットの回転を別のボルトがナットの回転とは反対回りに回転することによって、ナットと別のボルトの回転運動が打ち消し合いナットは動かなくなるという、振動にも強い緩まないボルトとナットに関するものです。
【背景技術】
【０００２】従来のボルトとナットは強い力で締め付けたあと、強い振動を受けた場合、その締め付けた強い力が、その反動として、ネジの原理からして当然その反発力が同じ力でナットを緩ませようと働き、僅かなきっかけでナットは緩み始めていた。ナットを緩まなくさせるために、スプリングワッシャーや菊ワッシヤーをボルトとナットの間に入れて緩まないようにする。これは、期待したほど、効果は無かった。そのほか、接着剤でボルトとナットを接着する、ナットを別の固定板等で固定し回らなくする、ボルトとナットに穴をあけ、緩み止めとしてピンを挿入しボルトとナットを固定し、回らなくする等の工夫がされていた。
これらは、いずれの方法も、製造工程又は組立工程が多くなり、加工等の複雑さが伴いコストアップとなっていた。
【考案の開示】
【考案が解決しようとする課題】
【０００３】本考案は、従来の工作技術をそのまま活用し、簡単に製造ができること。又、今までのボルトやナットのサイズ、ピッチ等の規格がそのまま活用できること等を考え継続的な振動にも緩まないボルトとナット（ネジ）を実現するものです。
【課題を解決するための手段】
【０００４】振動でも緩まないボルトとナット（ネジ）は、図１に示すように、ボルト１にはボルト９を回転して締めこむことができる内側のナット部分３を備えている。
ボルト１の外形部分には、右回り（又は左回り）のネジ山２がつけられている。ボルト１の内側のナット部分３には、外形部分のネジ山とは、違う、反対回りのネジ山がつけられている。ボルト１の外形部分のネジ山と同じ方向のネジ山を付けたナット５で工作物等４を挟んで、締めつける。
ナット５の両側面には、摩擦抵抗を大きくするために、不規則に凹凸６をつけている。次に、摩擦抵抗の大きい弾性体７（摩擦抵抗を大きくするために、不規則に凹凸６をつけている）を差込んでいる。これによって、ナット５の緩む後戻り回転をそのまま、弾性体７に伝えることができるようになる。弾性体７を締め付けるためにボルト９をボルト１のナット部分３に回転して締めこむ。ボルト９の頭部の内面には摩擦抵抗を大きくするために、不規則に凹凸６をつけている。（図５）参照
ボルト９が緩むときの回転方向は、ボルト１の外形部分のネジ山２とは違う反対回りのネジ山を付けた内側のナット部分３で締めているため、ナット５が緩むときの回転方向とは反対の回転を常にとることになる。工作物をボルト１とナット５で締め付けた後、振動等でナット５が緩もうと回転した場合、その動きは、弾性体７伝えられ、ボルト９を同じ方向に回転させようとすると、ボルト９は、ナット部分３のネジ山にそって回転するため、緩むのではなく、弾性体７を締め付けることになる。結果として、弾性体７は締め付けられて、ナット５は緩むための回転ができなくなってしまう。
強い振動等を受けたナットはボルト１の外形部分のネジ山２に沿って回転し緩むというナット５の性質とボルト１の内径部分に外形部分のネジ山２とは違う反対回りの内側のナット部分３のネジ山に沿って回転して緩むボルト９の性質を利用して、ナット５の回転とボルト９の回転がお互いに反対回りのため回転する力が打ち消し合いナット５は緩まないのである。
弾性体７の材質は、合成ゴム、プラスチック、金属等。又、弾性体７の厚さは、ボルト１の長さとナット５と工作物４の厚さ等によって変わる。
【考案の効果】
【０００５】従来は、ナットを緩まなくするため、強い力で締めていた。そのため、締める力が強すぎると、ネジ山を壊していた。又、イ．緩まなくするために、接着剤をボルトとナットにつけ固めたり、ナットを別の固定板等で固定し動かなくしたり、ボルトとナットに穴をあけ、ピンを挿入し緩まなくしたりしていた。ロ．簡単な方法としては、スプリングワッシャやナイロン入りナット等で緩み防止を図っていた。イの方法は、いづれも、組立て作業工程と部品が別途かかりコストアップになっていた。ロの方法は、完全にはナットの緩みは防げなかった。
本考案は、従来のボルトの規格サイズを変更することなく、様々な長さのボルトの内側に外形部分のネジ山２とは違う反対回りのネジ山を付けた内側のナット部分３をつける。そのナット部分３にボルト９を差し込み回転させ弾性体７を締め付け、ナット５に弾性体があたるようにする。ナット５とボルト９の頭部の間に弾性体を挟むことによって、ナット５の回転とボルト９の回転がお互いに反対回りのため回転する力が打ち消し合うようにしたものである。その結果、工作物４を締め付けているナット５は緩まないのである。従来の強い力だけで締めているナットでは、強い、連続した振動では、僅かなきっかけでナットは緩み始めることもあった。本考案は、緩むことを前提において、ナット５の回転とボルト９の回転がお互いに反対回りのため回転する力が打ち消し合う作用を利用したものである。
本考案の効果としては、強い力でしめる作業では、ネジ山を壊すギリギリのところで止める、熟練度は必要がなくなる。通常の力で誰でも簡単に締めることができる。特に、振動が連続、又は断続的に起こる個所の工程では、ナット５の回転がボルト９の回転によって止まり、緩むことが無いため、産業上、おおいに活用される。従来のボルトの長さ、大きさ等をそのまま継承するため、従来のボルトとナット（ネジ）を部品として、製品を製造している場合でも、生産工程を変更することなく、本考案のボルトとナット（ネジ）をそのまま活用することができる。
【考案を実施するための最良の形態】
【０００６】本考案に係る振動でも緩まないボルトとナット（ネジ）は、図１に示すように、ボルト１にはボルト９を回転して差し込むことができる内側のナット部分３を備えている。
ボルト１の外形部分には、右回り（又は左回り）のネジ山２がつけられている。内側のナット部分３には、外形部分のネジ山２とは、違う、反対回りのネジ山がつけられている。
ボルト１とボルト１の外形部分のネジ山２と同じ方向のネジ山を付けたナット５で工作物４を締めつける。次に、摩擦抵抗の大きい弾性体７の穴にナット５から出たボルト１のネジ山２の先端部分を差し込む。その後、ボルト９をボルト１のナット部分３に差込み回転させ、弾性体７を締め付ける。弾性体の厚さは、工作物とナット等の厚さによって変わる。弾性体７は、ナット５とボルト９の間に挟まることになる。
ナット５が緩んで回転しようとすると、その動きは、弾性体７に伝えられる。ボルト９には、
ナット５の回転運動が、弾性体７からそのまま伝えられる。同じ方向に回転すると、ボルト９はボルト１の外形部分のネジ山２とは違う反対回りのネジ山３を付けた内側のナットに差し込んでいるため、ボルト９の回転は、緩むのではなく、反対に弾性体７を締め付ける動きとなる。
その結果、ナット５の回転は、ボルト９の回転によって打ち消し合い、ナット５は緩まない。
【図面の簡単な説明】
【０００７】
【図１】  本考案の実施例を示すための斜視図。
【図２】  ボルト１の側面図と正面図  ボルト１の外形部分には右回り（又は左回り）のネジ山２をつける。内側部分には、外形部分とは違う反対回りのネジ山３をつける。内側部分の長さ及び内径は、ボルト１のサイズ等によって変える。又、ネジ山２とネジ山３のピッチは工作物によって変える。ボルト１はボルト９のナット部分を備えたボルトです。
【図３】  ナット５の側面図と正面図  ナットの両面に不規則に凹凸６をつけている。
【図４】  弾性体７の側面図と正面図  弾性体の両面に不規則に凹凸６をつけている。
【図５】  ボルト９の正面図と側面図  ボルトの頭部の内側に不規則に凹凸６をつけている。ボルト９のネジ山８はボルト１の内側部分のネジ山３と同じ回りです。
【図６】  ボルト９に弾性体７を接着させた正面図と側面図
【図７】  使用した時の状態を示す断面図。工作物４を挟みつけるための、ボルト１とナット５及び弾性体７と反回転ボルト９の組み立て構造図です。反回転ボルトの弾性体の厚さは挟む工作物の厚さ等によって変わる。
【符号の説明】
【０００８】１  内側にナット部分をもっているボルト本体。
２  右回り（又は左回り）のネジ山。
３  ２のネジ山とは違う反対回りのネジ山。ボルト９のナット部分
４  工作物
５  ナット
６  摩擦抵抗の大きくするための凹凸部分
７  弾性体
８  １のボルト本体の外形部分のネジ山２とは違う反対回りネジ山。３と同じ回り。
９  ボルトの頭部の内側に６の凹凸をつけたボルト
【図１】
0003137118.tif 000003
【図２】
0003137118.tif 000004
【図３】
0003137118.tif 000005
【図４】
0003137118.tif 000006
【図５】
0003137118.tif 000007
【図６】
0003137118.tif 000008
【図７】
0003137118.tif 000009